(57)【特許請求の範囲】
【請求項１】
座部に着座した使用者の肘を置くための肘掛けを前記座部の側壁上部又はその側壁上部から上方に間隔を空けて設けてなり、背もたれ部に組み込まれたマッサージ機構を操作器の操作により作動させて前記使用者に対しマッサージを行うマッサージ椅子であって、
前記座部の側壁又は前記肘掛けには、前記操作器を収容するためのホルダ部材が前記マッサージ椅子の前後方向にスライド可能に設けられ、
前記ホルダ部材には、該ホルダ部材を前記座部の側壁上部又は前記肘掛け上部に引っ掛けてスライド可能に取り付けるための引っ掛け部が設けられ、
前記ホルダ部材の引っ掛け部は、前記マッサージ椅子の幅方向に並設される一対の側部と、該一対の側部の上端を繋ぐ上部とからなり、該上部における前記前後方向の両端それぞれから前記側部の下端側に突出するとともに前記側部の一方から他方まで連続するように形成されたリブを備えたことを特徴するマッサージ椅子。
【請求項２】
請求項１に記載のマッサージ椅子において、
前記操作器は、扁平箱状をなし、
前記ホルダ部材は、前記操作器の扁平面が前記マッサージ椅子の幅方向に直交する状態で該操作器を収容可能に構成されたことを特徴とするマッサージ椅子。
【請求項３】
請求項１又は２に記載のマッサージ椅子において、
前記操作器は、その操作に応じた信号を前記マッサージ機構に伝達するためのコードを有し、
前記ホルダ部材には、前記コードを引っ掛けるためのコード掛け部が設けられたことを特徴とするマッサージ椅子。
【発明の詳細な説明】
【技術分野】
【０００１】
本発明は、背もたれ部に組み込まれたマッサージ機構等を操作するための操作器、及びその操作器を収容するためのホルダ部材を備えたマッサージ椅子に関するものである。
【背景技術】
【０００２】
従来、この種のマッサージ椅子において、例えば特許文献１のものでは、ホルダ部材としての操作器スタンドがマッサージ椅子本体の側方に設けられている。操作器スタンドは、座部の側壁にネジ止め等により固定され肘掛けの上方まで延びるアーム部と、アーム部先端に設けられた保持部とから構成され、該保持部に操作器を保持可能となっている。
【特許文献１】特開２００６−２６２９６４号公報
【発明の開示】
【発明が解決しようとする課題】
【０００３】
しかしながら、上記のようなマッサージ椅子では、操作器スタンドを決められた位置にしか設置できないため、操作器スタンドの設置位置を使用者の好みに応じて変更することができず、この点においてなお、改善の余地があった。
【０００４】
本発明は、上記課題を解決するためになされたものであって、その目的は、ホルダ部材の設置位置を使用者の好みに応じて変更可能なマッサージ椅子を提供することにある。
【課題を解決するための手段】
【０００５】
上記課題を解決するために、請求項１に記載の発明は、座部に着座した使用者の肘を置くための肘掛けを前記座部の側壁上部又はその側壁上部から上方に間隔を空けて設けてなり、背もたれ部に組み込まれたマッサージ機構を操作器の操作により作動させて前記使用者に対しマッサージを行うマッサージ椅子であって、前記座部の側壁又は前記肘掛けには、前記操作器を収容するためのホルダ部材が前記マッサージ椅子の前後方向にスライド可能に設けられ、前記ホルダ部材には、該ホルダ部材を前記座部の側壁上部又は前記肘掛け上部に引っ掛けてスライド可能に取り付けるための引っ掛け部が設けられ、前記ホルダ部材の引っ掛け部は、前記マッサージ椅子の幅方向に並設される一対の側部と、該一対の側部の上端を繋ぐ上部とからなり、該上部における前記前後方向の両端それぞれから前記側部の下端側に突出するとともに前記側部の一方から他方まで連続するように形成されたリブを備えたことをその要旨とする。
【０００６】
この発明では、座部の側壁又は肘掛けには、操作器を収容するためのホルダ部材がマッサージ椅子の前後方向にスライド可能に設けられる。そのため、例えば、腕の長い人であればホルダ部材を背もたれ部から離す方向にスライドさせ、腕の短い人であればホルダ部材を背もたれ部に近づける方向にスライドさせるというように、ホルダ部材の設置位置を使用者の好みに応じて変更可能とすることができる。
【０００８】
また、ホルダ部材は、引っ掛け部により座部の側壁上部又は肘掛け上部に引っ掛けてスライド可能に取り付けられるため、ホルダ部材を座部の側壁又は肘掛けに対し着脱可能に構成することができる。これにより、一方の肘掛け（又は座部の側壁）から他方の肘掛け（又は座部の側壁）へと設置位置を変更することが可能となる。また、肘掛けが座部の側壁上部から上方に間隔を空けて設けられる場合には、例えばホルダ部材を座部の側壁から肘掛けへと設置位置を変更することが可能となる。
【００１０】
さらに、座部の側壁又は肘掛けにおける引っ掛け部を引っ掛ける部分と一対のリブとが接触する２箇所で引っ掛け部が支持される。そのため、座部の側壁又は肘掛けにおける引っ掛け部を引っ掛ける部分が平面状であっても前後方向に湾曲する湾曲面状であっても、ホルダ部材を前後方向にガタつきなく安定して取り付けることが可能となる。また、座部の側壁又は肘掛けにおける引っ掛け部を引っ掛ける部分の湾曲面の曲率が一定でない場合においてもホルダ部材を前後方向にガタつきなく安定して取り付けることが可能となる。また、リブを設けたことにより引っ掛け部の強度を向上させることができる。
【００１１】
請求項２に記載の発明は、請求項１に記載のマッサージ椅子において、前記操作器は、扁平箱状をなし、前記ホルダ部材は、前記操作器の扁平面が前記マッサージ椅子の幅方向に直交する状態で該操作器を収容可能に構成されたことをその要旨とする。
【００１２】
この発明では、ホルダ部材の幅方向の大型化を抑えることが可能であり、ひいては、マッサージ椅子の幅方向の大型化に貢献することができる。また、ホルダ部材が座部の側壁又は肘掛けから幅方向に突出するように構成される場合、その突出幅を小さく抑えることができるため、外観向上に貢献でき、また、ホルダ部材への引っ掛かりが抑制され安全性を向上させることができる。
【００１３】
請求項３に記載の発明は、請求項１又は２に記載のマッサージ椅子において、前記操作器は、その操作に応じた信号を前記マッサージ機構に伝達するためのコードを有し、前記ホルダ部材には、前記コードを引っ掛けるためのコード掛け部が設けられたことをその要旨とする。
【００１４】
この発明では、操作器のコードをホルダ部材のコード掛け部に引っ掛けることで、コードの垂れ下がりを抑制することができる。そのため、コードの垂れ下がりによるマッサージ椅子の外観悪化を防ぐことが可能である。また、コードへの引っ掛かりを抑制でき、安全性を向上させることができる。
【発明の効果】
【００１５】
従って、上記記載の発明によれば、ホルダ部材の設置位置を使用者の好みに応じて変更可能とすることができる。
【発明を実施するための最良の形態】
【００１６】
以下、本発明を具体化した一実施形態を図面に従って説明する。
図１に示すように、マッサージ椅子１０の脚部１１は床面に載置されるとともに、その脚部１１の上部には使用者が着座可能な座部１２が固定されている。その座部１２の後部には、使用者が背中を持たれ掛けさせるための背もたれ部１３が傾動可能に設けられるとともに、その背もたれ部１３内部には使用者の肩から背中にかけてマッサージ可能なマッサージ機構１４が組み込まれている。座部１２の前方下部には、使用者の足等を乗せてマッサージを行うオットマン１５が傾動可能に設けられている。
【００１７】
座部１２の幅方向（前後方向と直交する方向）の両側には、前後方向に延びる側壁２１がそれぞれ設けられている。各側壁２１の上面２１ａは、座部１２の座面よりも上方に位置するとともに、幅方向から見て直線状をなしている。各側壁２１の前後方向中間部には、その上面２１ａから上方に延びる支持部２２（図１において１つのみ図示）が設けられるとともに、その支持部２２は使用者の腕や肘等を置くための肘掛け２３を支持している。肘掛け２３は前後方向に延びる形状をなすとともに、座部１２の側壁２１の上方に間隔を空けて設けられている。尚、一対の側壁２１及び肘掛け２３は、マッサージ椅子１０の幅方向の中央線に対して線対称をなしている。
【００１８】
マッサージ椅子１０本体は、マッサージ椅子１０を操作するための操作器３１とコード３２を介して接続されている。操作器３１は扁平箱状をなすとともに、その一扁平面には各種操作ボタンが設けられて操作面３１ａが構成されている。操作面３１ａの各種操作ボタンの操作に応じた信号はコード３２を介してマッサージ椅子１０本体に出力され、その信号に基づいて背もたれ部１３のマッサージ機構１４及びオットマン１５が作動するようになっている。尚、背もたれ部１３及びオットマン１５の傾動等も操作面３１ａの各種操作ボタンで操作可能となっている。
【００１９】
座部１２の一対の側壁２１のうち、座部１２に着座した使用者から見て左側の側壁２１上部には、上記したような操作器３１を収容するためのホルダ部材３３が取り付けられている。ホルダ部材３３は、該ホルダ部材３３を座部１２の側壁２１上部に引っ掛けてスライド可能に取り付けるための引っ掛け部３４と、操作器３１を保持するための保持部３５とを一体に備えている。尚、ホルダ部材３３は前後方向の中央線に対して線対称をなしている。
【００２０】
図２及び図３（ａ）（ｂ）に示すように、引っ掛け部３４は、マッサージ椅子１０の幅方向に並設される板状の一対の側部３４ａと、その一対の側部３４ａ上端を繋ぐ板状の上部３４ｂとからなり、前後方向と直交する断面が下方に開口する略コ字状をなしている。引っ掛け部３４は、その上部３４ｂにおける前後方向両端から側部３４ａの下端側に突出するリブ３４ｃを有している。各リブ３４ｃは、側部３４ａの一方から他方まで連続するように形成されるとともに、その高さ方向の寸法が互いに等しくなるように形成されている。
【００２１】
引っ掛け部３４は、その上部３４ｂの幅方向長さが座部１２の側壁２１上部の幅方向長さと対応して形成されている。そのため、座部１２の側壁２１上部が引っ掛け部３４の各側部３４ａ間に位置するように引っ掛け部３４を座部１２の側壁２１に嵌め込むことで、ホルダ部材３３を引っ掛けて取り付けることが可能となっている。また、引っ掛け部３４が座部１２の側壁２１に引っ掛かっている状態において、各リブ３４ｃは側壁２１の上面２１ａと接触しており、引っ掛け部３４はガタつきなく安定して取り付けられている。尚、仮に座部１２の側壁２１の上面２１ａが前後方向に湾曲している場合であっても、各リブ３４ｃが側壁２１の上面２１ａに接触し、その接触する２箇所で引っ掛け部３４が支持されるため、ホルダ部材３３を前後方向にガタつきなく安定して取り付けることが可能となっている。
【００２２】
保持部３５は、操作器３１を保持可能な略有底箱状をなすとともに、マッサージ椅子１０の前後方向に延びた形状をなしている。保持部３５の引っ掛け部３４側の長壁３５ａは、引っ掛け部３４の側部３４ａの一方と連続的に形成されている。保持部３５はその長手方向中央部において、反引っ掛け部３４側の長壁３５ｂから底部３５ｃにかけて形成された切り欠き部３５ｄを有している。また、保持部３５の長手方向両端部において互いに対向する一対の短壁３５ｅはその上端に切り欠き部３５ｆを有している。尚、保持部３５の反引っ掛け部３４側の長壁３５ｂは、引っ掛け部３４側の長壁３５ａに対して離間する方向（幅方向）に傾斜している。
【００２３】
ホルダ部材３３が座部１２の側壁２１上部に取り付けられた状態において、保持部３５は座部１２の側壁２１の幅方向の側方に位置するようになっている。図１及び図２においては、保持部３５は座部１２の側壁２１の外側（反座部１２側）に位置しているが、側壁２１の内側（座部１２側）に位置するようにホルダ部材３３を取り付けることも可能である。また、保持部３５の底部３５ｃは、その幅方向（短手方向）長さが操作器３１の厚さ方向の寸法（操作器３１の扁平面と直交する寸法）と対応して形成されている。これにより、保持部３５には操作器３１の扁平面（操作面３１ａ）がマッサージ椅子１０の幅方向に直交する状態で該操作器３１を収容可能となっている。尚、図２に示すように、肘掛け２３はその幅方向外側端部２３ａが、保持部３５の反引っ掛け部３４側の長壁３５ｂの真上に位置するように形成されており、ホルダ部材３３の保持部３５がマッサージ椅子１０の幅方向外側（反座部１２側）しないように構成されている。
【００２４】
また、保持部３５の下部における長手方向中央には、引っ掛け部３４側の長壁３５ａ下端から下方に延びるコード掛け部３５ｇが形成されている。このコード掛け部３５ｇは、保持部３５側に湾曲するフック状をなしており、該コード掛け部３５ｇには、操作器３１に繋がるコード３２を引っ掛けることが可能となっている（図２参照）。
【００２５】
このようなホルダ部材３３は、座部１２の側壁２１に取り付けた状態で前後方向にスライドすることが可能である。これにより、本実施形態のマッサージ椅子１０では、ホルダ部材３３の設置位置が使用者の好みに応じて容易に変更可能となっている。また、ホルダ部材３３は、その引っ掛け部３４を座部１２の側壁２１上部に引っ掛けるだけで容易に取り付け可能であり、また、その取り外しも容易であるため、ホルダ部材３３の着脱の煩わしさが低減されている。そして、ホルダ部材３３は、座部１２の両側壁２１のどちらにも取り付け可能であり、この点においてもホルダ部材３３の設置位置の自由度が向上されている。
【００２６】
次に、本実施形態の特徴的な作用効果を記載する。
（１）本実施形態では、座部１２の側壁２１には、操作器３１を収容するためのホルダ部材３３がマッサージ椅子１０の前後方向にスライド可能に設けられる。そのため、例えば、腕の長い人であればホルダ部材３３を背もたれ部１３から離す方向にスライドさせ、腕の短い人であればホルダ部材３３を背もたれ部１３に近づける方向にスライドさせるというように、ホルダ部材３３の設置位置を使用者の好みに応じて変更可能とすることができる。
【００２７】
（２）本実施形態では、ホルダ部材３３は、引っ掛け部３４により座部１２の側壁２１上部に引っ掛けてスライド可能に取り付けられるため、ホルダ部材３３を座部１２の側壁２１に対し着脱可能に構成することができる。これにより、ホルダ部材３３を座部１２の両側壁２１のどちらにも取り付け可能とすることができ、ホルダ部材３３の設置位置の自由度をより向上させることができる。
【００２８】
（３）本実施形態では、ホルダ部材３３には、引っ掛け部３４の上部３４ｂにおける前後方向の両端それぞれから側部３４ａの下端側に突出するとともに該側部３４ａの一方から他方まで連続するように形成されたリブ３４ｃを備える。これにより、座部１２の側壁２１の上面２１ａと一対のリブ３４ｃとが接触する２箇所で引っ掛け部３４が支持されるため、座部１２の側壁２１の上面２１ａが平面状であっても前後方向に湾曲する湾曲面状であっても、ホルダ部材３３を前後方向にガタつきなく安定して取り付けることが可能となる。また、側壁２１の上面２１ａの湾曲面の曲率が一定でない場合においてもホルダ部材を前後方向にガタつきなく安定して取り付けることが可能となる。また、リブ３４ｃを設けたことにより引っ掛け部３４の強度を向上させることができる。
【００２９】
（４）本実施形態では、ホルダ部材３３は、操作器３１の扁平面（操作面３１ａ）がマッサージ椅子１０の幅方向に直交する状態で該操作器３１を収容可能に構成される。そのため、ホルダ部材３３の幅方向の大型化を抑えることが可能であり、ひいては、マッサージ椅子１０の幅方向の大型化に貢献することができる。また、ホルダ部材３３が座部１２の側壁２１から幅方向に突出するように構成される場合、その突出幅を小さく抑えることができるため、外観向上に貢献でき、また、ホルダ部材３３への引っ掛かりが抑制され安全性を向上させることができる。
【００３０】
（５）本実施形態では、ホルダ部材３３には、操作器３１のコード３２を引っ掛けるためのコード掛け部３５ｇが設けられる。そのため、操作器３１のコード３２をホルダ部材３３のコード掛け部３５ｇに引っ掛けることで、コード３２の垂れ下がりを抑制することができる。これにより、コード３２の垂れ下がりによるマッサージ椅子１０の外観悪化を防ぐことが可能である。また、コード３２への引っ掛かりを抑制でき、安全性を向上させることができる。
【００３１】
（６）本実施形態では、保持部３５の反引っ掛け部３４側の長壁３５ｂには、切り欠き部３５ｄが形成されるため、操作器３１を容易に出し入れすることができる。
（７）本実施形態では、保持部３５の短壁３５ｅには切り欠き部３５ｆが形成されるため、操作器３１を容易に出し入れすることができるようになっている。
【００３２】
（８）本実施形態では、保持部３５の反引っ掛け部３４側の長壁３５ｂは、引っ掛け部３４側の長壁３５ａに対して離間する方向（幅方向）に傾斜しているため、操作器３１を容易に出し入れすることができるようになっている。
【００３３】
（９）本実施形態では、座部１２の座面から側壁２１の上面２１ａまでの長さは、ホルダ部材３３の高さ方向幅よりも大きく設定されているため、保持部３５が座部１２の側壁２１の外側（反座部１２側）に位置するようにホルダ部材３３を取り付けるだけでなく、側壁２１の内側（座部１２側）に位置するように取り付けることが可能である。
【００３４】
（１０）本実施形態では、肘掛け２３はその幅方向外側端部２３ａが、保持部３５の反引っ掛け部３４側の長壁３５ｂの真上に位置するように形成されるため、ホルダ部材３３の保持部３５がマッサージ椅子１０の幅方向外側（反座部１２側）しないように構成することができる。これにより、ホルダ部材３３への引っ掛かりが抑制され、その引っ掛かりによる該ホルダ部材３３の脱落を抑制することができる。
【００３５】
尚、本発明の実施形態は、以下のように変更してもよい。
・上記実施形態では、ホルダ部材３３は座部１２の側壁２１に取り付け可能に構成されたが、肘掛け２３に取り付け可能に構成してもよい。また、例えば図４に示すように、座部１２の側壁２１及び肘掛け２３のどちらにも取り付け可能となるように構成してもよい。図４に示すマッサージ椅子４０では、肘掛け２３と座部１２の側壁２１はそれらの幅方向長さが互いに等しくなるように形成されており、肘掛け２３と座部１２の側壁２１のどちらにもホルダ部材３３の引っ掛け部３４を引っ掛け可能となっている。そのため、ホルダ部材３３の設置位置を使用態様に応じて、例えば座部１２の側壁２１から肘掛け２３へと変更可能であり、この点においても使用者の好みに応じて対応可能となっている。
【００３６】
・上記実施形態では、特に言及しなかったが、引っ掛け部３４の各リブ３４ｃの下端は引っ掛け部３４の上部３４ｂに沿って直線状に形成されたが、これ以外に例えば、引っ掛け部３４の上部３４ｂに対して傾斜するように形成してもよい。
【００３７】
・上記実施形態では、コード掛け部３５ｇは、保持部３５の引っ掛け部３４側の長壁３５ａに形成されたが、これに以外に例えば、反引っ掛け部３４側の長壁３５ｂに形成してもよく、また、短壁３５ｅに形成してもよい。また、引っ掛け部３４に形成してもよい。また、コード掛け部３５ｇはフック状をなしたが、特にこれに限定されるものではなく、例えばコード掛け部としてホルダ部材３３に一対の突起を設け、その一対の突起間にコード３２を引っ掛ける構成としてもよい。
【００３８】
・上記実施形態では、ホルダ部材３３の保持部３５は、引っ掛け部３４の側部３４ａの一方に連続的に繋がるように形成されたが、これ以外に例えば、引っ掛け部３４の上部３４ｂに形成してもよい。
【００３９】
・上記実施形態では、ホルダ部材３３の引っ掛け部３４は、その反保持部３５側の側部３４ａが座部１２の側壁２１の内側に位置するように該側壁２１上部に引っ掛け可能とされたが、これ以外に例えば、座部１２の側壁２１の上面２１ａに前後方向に沿ってガイド溝を形成し、引っ掛け部３４の反保持部３５側の側部３４ａがガイド溝内に位置するように側壁２１上部に引っ掛け可能に構成してもよい。
【００４１】
・上記実施形態では、ホルダ部材３３は着脱可能に構成されたが、取り外し不能に構成してもよい。
【００４２】
上記実施形態では、肘掛け２３が座部１２の側壁２１上部から上方に間隔を空けて設けられたが、特にこれに限定されるものではなく、側壁２１上部に間隔を空けずに直接的に設けてもよい。この場合、ホルダ部材３３は肘掛け２３上部に引っ掛けてスライド可能に取り付けられる。
【図面の簡単な説明】
【００４３】
【図１】本実施形態におけるマッサージ椅子を示す斜視図。
【図２】マッサージ椅子の部分正面図。
【図３】（ａ）ホルダ部材を斜め上方から見た斜視図、（ｂ）ホルダ部材を斜め下方から見た斜視図。
【図４】別例におけるマッサージ椅子の部分正面図。
【符号の説明】
【００４４】
１０，４０…マッサージ椅子、１２…座部、１３…背もたれ部、１４…マッサージ機構、２１…座部の側壁、２３…肘掛け、３１…操作器、３２…コード、３３…ホルダ部材、３４…引っ掛け部、３４ａ…側部、３４ｂ…上部、３４ｃ…リブ、３５…保持部、３５ｇ…コード掛け部。
【図１】
0005059652.tif 000002
【図２】
0005059652.tif 000003
【図３】
0005059652.tif 000004
【図４】
0005059652.tif 000005